(57)【要約】  雄基部（１２）、及び試料切除手段（３０）を含む雄部、並びに、第１雌基部（１４）、及び試料容器（１６）を含む雌部を含み、試料切除手段（３０）は雄基部（１２）上に取外し可能に配置され、試料容器（１６）は少なくとも部分的に第１雌基部（１４）内に取外し可能に配置され、雄部と雌部が嵌合する際に、試料切除手段（３０）がタグ付けされた動物から生物試料（４７）を採取し、第１雌基部（１４）を通って受入れられ試料容器（１６）に留まり、この機能は、次に試料を試料容器（１６）内の試料受入れ場所（７４）に導入し、第１雌基部から試料容器（１６）を押し、試料受入れ場所（７４）を密閉し、試料切除手段（３０）は試料受入れ場所（７４）内の試料（４７）に使用可能な試料調製剤又は防腐剤（４５）を有することを特徴とする試料採取装置（１０）。
2005534943.tif 000002
【特許請求の範囲】
【請求項１】
試料採取装置であって、
雄基部及び試料切除手段を含む雄部、並びに、
第１雌基部及び試料容器を含む雌部
を含み、前記試料切除手段は前記雄基部上に取外し可能に配置され、前記試料容器は少なくとも部分的に前記第１雌基部内に取外し可能に配置され、前記雄部と前記雌部が嵌合する際に、前記試料切除手段がタグ付けされた動物から生物試料を採取し、前記第１雌基部を通って受入れられ前記試料容器に留まり、この行為は、次に前記試料を前記試料容器内の試料受入れ場所に導入し、前記第１雌基部から前記試料容器を押し、前記試料受入れ場所を密閉し、前記試料切除手段は前記試料受入れ場所内の試料に使用可能な試料調製剤又は防腐剤を有することを特徴とする試料採取装置。
【請求項２】
前記雄基部が、ベース、及び直立部材を含み、前記直立部材は、前記雄部が前記第１雌基部に一旦受入れられると、抜き取られるのを防ぐような環状リップをその上に有することを特徴とする請求項１に記載の試料採取装置。
【請求項３】
前記試料切除手段が、前記雄部と前記雌部の接合前に前記直立部材上に確実に配置されるようになっていることを特徴とする請求項２に記載の試料採取装置。
【請求項４】
前記試料切除手段が、略円柱形の裁断手段、及び押圧部材を含み、前記裁断手段は動物組織への貫入を容易にするための切刃を備えた開放上端を有し、前記押圧部材は前記裁断手段の内径内に収容され、前記直立部材を嵌込むためのシート部材を有することを特徴とする請求項３に記載の試料採取装置。
【請求項５】
前記押圧部材が、前記裁断手段により得られた生物試料が押し込まれるような、前記裁断手段の開放上端に隣接するチャンバをその内側に更に定めることを特徴とする請求項４に記載の試料採取装置。
【請求項６】
試料調製剤又は試料保存剤が、実質的に粒状で与えられ、前記チャンバは、前記調製剤、又は保存剤をその中に保持するための多孔性材料のシートをチャンバ上に備え、同時に、前記チャンバにより、前記調製剤、又は保存剤が、最終的に前記試料容器内に保持される試料に対して機能しうることを特徴とする請求項５に記載の試料採取装置。
【請求項７】
前記押圧部材が、前記押圧部材に与えられる押圧力が前記裁断手段に伝わるように前記裁断手段径内に係合することを特徴とする請求項４から６のいずれかに記載の試料採取装置。
【請求項８】
前記裁断手段が、下端から上端にテーパー状であるため、前記裁断手段の試料採取装置における前記雌部内の通過、及び前記試料容器内での保持が容易であることを特徴とする請求項４から７のいずれかに記載の試料採取装置。
【請求項９】
前記試料容器が、その上端よりも開放下端がより幅広いようなテーパー状であり、前記雄部と雌部が嵌合する前に、前記第１雌基部内に下端が受入れられることを特徴とする前記請求項のいずれかに記載の試料採取装置。
【請求項１０】
前記第１雌基部が、前記雄部が受入れられ一部保持される際に通過する脆弱部を備えたベース部材、及び開口と半径方向に間隔を開けて離れて位置し、その上にキャップを受止めるような直立環を含むことを特徴とする前記請求項のいずれかに記載の試料採取装置。
【請求項１１】
前記試料容器の開放下端が、前記第１雌基部の前記直立環内に前記キャップにより解放可能に保持され、前記試料容器が前記キャップの開口を通して受入れられ、前記雄部と雌部が嵌合する際に前記試料切除手段が前記試料容器の開放下端内に受入れられ押されるので、前記試料容器、及び前記試料切除手段は、残部が確実に係合したまま各部から切離されることを特徴とする請求項１０に記載の試料採取装置。
【請求項１２】
前記直立環、及びキャップ内に弾性物質のリングが捕捉されており、前記リングの寸法は、前記第１雌基部のベース部材における開口、及び前記キャップにおける開口よりも大きく、それにより前記雄部と雌部が嵌合する際に前記直立部材の環状リップによりリングが上方に押され、前記直立部材を改ざんしようとすることが明らかになることを特徴とする請求項１０又は１１に記載の試料採取装置。
【請求項１３】
前記試料採取装置が更に、トランスポンダを含むことを特徴とする前記請求項のいずれかに記載の試料採取装置。
【請求項１４】
前記トランスポンダが、前記第１雌基部の前記ベース部材と近接した独立部材として備わり、前記トランスポンダは前記第１雌基部に備わる開口と協同する開口を有することを特徴とする請求項１３に記載の試料採取装置。
【請求項１５】
第２雌基部が、前記第１雌基部との間に前記トランスポンダを挟んで備わり、前記第２雌基部は、前記トランスポンダの開口、及び前記第１雌基部の脆弱部と協同する開口を有することを特徴とする請求項１４に記載の試料採取装置。
【請求項１６】
前記雄部及び雌部の両方が、その上に、揃った、そうでなければ調整された識別手段を有し、該識別手段は、識別を隠蔽する、痕跡を消す、又は除去しようとするとそれが明らかになるような手段であることを特徴とする前記請求項のいずれかに記載の試料採取装置。
【請求項１７】
識別手段が、前記第１雌基部、前記試料容器、及び前記雄基部の各々に備わることを特徴とする請求項１６に記載の試料採取装置。
【請求項１８】
試料採取装置であって、
ベース及び直立部材を含む雄部、並びに、
第１雌基部を含む雌部、
を有し、前記直立部材は、前記雄部と前記雌部が嵌合する際に、前記雌部内に保持されるよう配置された環状リップを有し、前記第１雌基部は、更に直立環、及びキャップを含み、該キャップは開口を有し、前記直立部材の環状リップが前記環及びキャップ内に弾性リングと共に保持され、該弾性リングは前記直立部材を許可なく操作し、それにより前記雄部と前記雌部を離そうとする試みを少なくとも部分的に防ぐことを特徴とする試料採取装置。
【請求項１９】
試料採取装置、及びタグ付けシステムであって、基本構成要素として、
ベース及び直立部材を含む雄部、並びに、
第１雌基部、キャップ、及び該キャップにより保持される弾性リングを含む雌部、
を含み、前記雄部と前記雌部が嵌合する際に、前記直立部材は確実に、ほぼ解放不可能な方法で第１雌基部を越えて、又は中に受入れられ、前記雄部と前記雌部を解放しようとする前記直立部材への検出不可能ないかなる改ざんをも防ぐように前記弾性リング、及び前記キャップが配置され、前記システムは、電子識別目的のための１以上のトランスポンダを追加でき、試料採取要素の使用が可能であること特徴とする試料採取装置、及びタグ付けシステム。
【請求項２０】
試料採取装置、及びタグ付けシステムであって、前記試料採取要素は、試料切除手段、及び試料容器を含み、前記試料切除手段は前記直立部材上に解放可能に配置され、また前記試料容器は前記雌部上に解放可能に配置されており、前記雄部と雌部を嵌合させる行為により動物から生物試料を得ると同時に動物にタグ付けし、更に、前記試料切除手段は、採取された生物試料のための試料調製剤、又は試料保存剤を提供することを特徴とする請求項１９に記載の試料採取装置、及びタグ付けシステム。
【請求項２１】
図面を参照して実質的に上記に記載されている試料採取装置。
【請求項２２】
図面を参照して実質的に上記に記載されている試料採取装置、及びタグ付けシステム。
【発明の詳細な説明】
【技術分野】
【０００１】
本発明は、試料採取装置、及び試料採取装置の使用方法に関する。より詳細には、本発明の装置、及び方法は、動物へのタグ付けと動物からの生物試料採取を同時にする際に使用することを意図する。
【背景技術】
【０００２】
動物関連産業（家畜類、ショー用動物、レース用動物、及びその他純血種の品種改良を含む）では、動物の認証、又は畜産物の出荷元、及び試料の採取源を識別するために動物を個別に正確に識別を可能にすることが以前から望まれている。より一般的に使用されているいくつかの技術は、焼印、刺青、耳標、足部ストラップ、鎖、及び注入可能な、又は、タグ、若しくはストラップに付けるトランスポンダを含む。これらの技術は、全て関連する費用、及び成功率が違う。
【０００３】
動物の識別は、医学、研究、品種改良、品質管理、及び環境技術を含む多方面の活動で重要である。ＤＮＡ分析は、動物の識別に対して有効な１つの技術である。ＤＮＡ分析による識別は、概して、動物からの生物試料の抜き取り、及び該試料を「現場から離れた」研究室で分析する必要がある。近年の肉製品の感染又は汚染により、膨大な数の動物を試料採取可能で、各試料と採取源が正確に関連づけできる必要性が高まっている。更に、この関連性が容易に崩れたり、改ざんされないようにする必要性があり、それにより試料の採取源を正確に、信頼して識別可能になる。
【０００４】
現代のＤＮＡ分析技術は、非常に少ない試料での実施が可能であり、また非常に迅速な遂行が可能である。目下、生体物質の品質管理、及び動物の遺伝系統の調製は増大する膨大な数の試料に対して実施されている。ＤＮＡ分析は、非常に慎重な注意を払うべきであり、不純物は排除されなければならない。更に、ＤＮＡ分解酵素から試料を保護することが継続的に必要とされている。
【０００５】
動物からＤＮＡの試料を得る方法は沢山ある。例えば、ＤＮＡ分析のための生物試料採取は、血液採取を含む。熟練した医師、例えば、獣医がこの試料採取方法には必要であり、特に多数の集団に対して実施すると大変費用が高くなる。
【０００６】
家畜の品種改良において、毛、及び毛根を抜き取り、試料容器内に入れ、そして生体物質の採取源を識別するために手でラベルが貼られる。この方法は、時間を要し、特に試料採取する人の訓練の程度に関して潜在的な問題が多数ある。これらは、故意の、又は不慮の試料改ざんの可能性を含む。故意の改ざんは、故意に試料に違ったラベルを貼ったり、又は、ある採取源からの試料をそれとは別の動物から採取された試料として識別される試料容器に入れることを含む。上記の改ざん例はまた、不慮にも起こり得る。
【０００７】
動物を登録する（例えば、耳標等の識別手段をつける）と同時に、分析用の組織試料を採取することが可能であり、同時に故意の、又は不慮の試料改ざんの可能性を最小限にする試料容器をも備えた試料採取装置が必要とされている。
【０００８】
本発明の試料採取装置は、先行技術に関する上記問題を実質的に克服、又は、少なくとも有効な代用案を提供することを目的とする。
【０００９】
前述の背景技術に関する議論は、本発明の理解を容易にすることだけを意図している。前記議論は、言及された事柄のいずれについても出願の優先日における、オーストラリアでの共通の一般的な知識の一部であるということを承認又は容認するものではないと理解されたい。
【００１０】
明細書を通して、文中に明記されない限り、「含み」の語又は「含む」等の派生語は、記載される実体又は実体の群を含むことを意味するが、しかし、他の実体又は他の実体の群を除外するものではない。
【発明の開示】
【００１１】
本発明は、雄基部及び試料切除手段を含む雄部、並びに、第１雌基部及び試料容器を含む雌部を特徴とする試料採取装置を提供し、試料切除手段は雄基部上に取外し可能に配置され、試料容器は少なくとも部分的に第１雌基部内に取外し可能に配置され、雄部と雌部が嵌合する際に、試料切除手段がタグ付けされた動物から生物試料を採取し、第１雌基部を通って受入れられ試料容器に留まる。この動作は、次に試料を試料容器内の試料受入れ場所に導入し、第１雌基部から試料容器を押し、試料受入れ場所を密閉する。試料切除手段は試料受入れ場所内の試料に使用可能な試料調製剤又は防腐剤を有する。
【００１２】
雄基部は、好ましくは、ベース、及び直立部材を含み、直立部材は、第１雌基部に一旦受入れられると、雄部が抜き取られるのを防ぐような環状リップをその上に有する。
【００１３】
試料切除手段は、好ましくは雄部と雌部の接合前に直立部材上に確実に配置されるようになっている。
【００１４】
試料切除手段は、好ましくは、略円柱形の裁断手段、及び押圧部材を含み、裁断手段は動物組織への貫入を容易にするための刃先を備えた開放上端を有し、押圧部材は裁断手段の内径内に収容され、直立部材を嵌込むためのシート部材を有する。
【００１５】
押圧部材は、更に好ましくは、裁断手段により得られた生物試料が押し込まれるような、裁断手段の開放上端に隣接するチャンバをその内側に定める。チャンバは、試料容器内に試料切除手段が受入れられる際に、試料容器内に保持された生物試料にとって使用可能であるような、好ましくは実質的に粒状の生物試料調製剤、又は保存剤をチャンバ内に有する。チャンバは、調製剤、又は保存剤をその中に保持するための多孔性材料のシートをチャンバ上に備え、同時に、チャンバにより、調製剤、又は保存剤が、最終的に試料容器内に保持される試料に対して機能しうる。
【００１６】
押圧部材は、好ましくは、押圧部材に与えられる押圧力が裁断手段に伝わるように裁断手段径内に係合する。
【００１７】
好ましくは、裁断手段は、下端から上端にテーパー状であるため、裁断手段の試料採取装置における雌部内の通過、及び試料容器内での保持が容易である。試料容器もまたテーパー状であり、上端よりも開放下端がより幅広く、雄部と雌部が嵌合する前に、第１雌基部内に下端が受入れられている。
【００１８】
本発明の一形態において、第１雌基部は、雄部が受入れられ一部保持される際に通過する脆弱部を備えたベース部材、及び開口と半径方向に間隔を開けて離れて位置し、その上にキャップを受止めるような直立環を含む。
【００１９】
好ましくは、試料容器の開放下端は、第１雌基部の直立環内にキャップにより解放可能に保持され、試料容器がキャップの開口を通して受入れられ、雄部と雌部が嵌合する際に試料切除手段が試料容器の開放下端内に受入れられ押されるので、試料容器、及び試料切除手段は、残部が確実に係合したまま各部から切離される。
【００２０】
より好ましくは、直立環、及びキャップ内に弾性物質のリングが捕捉されており、リングは、第１雌基部のベース部材における開口、及びキャップにおける開口よりも大きく、それにより雄部と雌部が嵌合する際に直立部材の環状リップによりリングが上方に押され、直立部材を改ざんしようとすることが明らかになる。
【００２１】
試料採取装置は、更に、トランスポンダを含んでもよい。トランスポンダは好ましくは、第１雌基部のベース部材と近接した独立部材として備わり、トランスポンダは第１雌基部に備わる開口と協同する開口を有する。
【００２２】
好ましくは、第２雌基部は、第１雌基部との間にトランスポンダを挟んで備わり、第２雌基部は、トランスポンダの開口、及び第１雌基部の脆弱部と協同する開口を有する。
【００２３】
より好ましくは、雄部及び雌部の両方が、その上に、揃った、そうでなければ調整された識別手段を有し、識別手段は、識別を隠蔽する、痕跡を消す、又は除去しようとするとそれが明らかになるような手段である。識別手段は、好ましくは、第１雌基部、試料容器、及び雄基部の各々に備わる。
【００２４】
本発明は、更にベース及び直立部材を含む雄部、並びに、第１雌基部を含む雌部、を特徴とする試料採取装置を提供し、直立部材は、雄部と雌部が嵌合する際に、雌部内に保持されるよう配置された環状リップを有し、第１雌基部は、更に直立環、及びキャップを含み、キャップは開口を有し、直立部材の環状リップが環及びキャップ内に弾性リングと共に保持され、弾性リングは直立部材を許可なく操作し、それにより雄部と雌部を離そうとする試みを少なくとも部分的に防ぐ。
【００２５】
本発明は、また更に基本構成要素として、ベース及び直立部材を含む雄部、並びに、第１雌基部、キャップ、及びキャップにより保持される弾性リングを含む雌部を含み、雄部と雌部が嵌合する際に、直立部材は確実に、ほぼ解放不可能な方法で第１雌基部を越えて、又は中に受入れられ、雄部と雌部を解放しようとする直立部材への検出不可能ないかなる改ざんをも防ぐように弾性リング、及びキャップが配置され、システムは、電子識別目的のための１以上のトランスポンダを追加でき、試料採取要素の使用が可能であること特徴とする試料採取装置、及びタグ付けシステムを提供する。
【００２６】
好ましくは、試料採取要素は、試料切除手段、及び試料容器を含み、試料切除手段は直立部材上に解放可能に配置され、また試料容器は雌部上に解放可能に配置されており、雄部と雌部を嵌合させる行為により動物から生物試料を得ると同時に動物にタグ付けし、更に、試料切除手段は、採取された生物試料のための試料調製剤、又は試料保存剤を提供する。
【発明を実施するための最良の形態】
【００２７】
図１から図３に、本発明の第１の実施形態による試料採取装置１０が図示されている。試料採取装置１０は、雄基部１２、第１雌基部１４、及び試料容器１６を含む。
【００２８】
雄基部１２は、実質的に平な円状のベース１８を含み、ベース１８の中心から直立軸２０が突出している。軸２０は上端２２及び環状リップ２４を有する。位置決め挿口２６は位置決めリップ２４より上方に突き出し、その間に位置決め肩部２８が備わっている。位置決め挿口２６は、ほぼ円柱形であるが、同様にほぼ円柱形状の直立部材２０よりも直径が小さい。
【００２９】
試料切除手段３０は、図２に最も良く示されているように、雄基部１２の位置決め挿口２６及び位置決め肩部２８のどちらにも着座する。試料切除手段３０は、ほぼ円柱形のスチール裁断手段３２、及び、ほぼ円柱形の押圧部材３４を含む。裁断手段３２は、鋭い刃を保持する必要があるためスチール製である。押圧部材３４は、ほぼ中空であるが、横切るように伸張するシート部材３６を有する。シート部材３６は、位置決め挿口２６上に隣接し、裁断手段３２、及び押圧部材３４の下端はどちらも、直立部材２０の位置決め肩部２８上に隣接する。
【００３０】
押圧部材３４は、初めは、裁断手段３２の内径内に位置する。押圧部材３４の上端３８は裁断手段３２の前方肩部４０に隣接する。切刃４２は、再度、図２に最も良く示されているように、前方肩部４０に近接し、裁断手段３２の上端に備わる。裁断手段３２は、下端付近はより広い直径を有し、中間辺りの直径が徐々に減少して僅かに直径が狭くなっている。裁断手段３２の内空に備わる前方肩部４０に近接する点において、裁断手段３２の外面は、内側に徐々に細くなって切刃４２を形成している。
【００３１】
多孔材料のシート、例えばガーゼ４１が押圧部材３４の上端３８上に備わることでチャンバ４３が創られる。ある量の粒状の試料調製剤、及び／又は防腐剤が、チャンバ４３内に備えられ、例えば、岩塩４５がその粒状性及び含水性により適切である。ガーゼ４１は、裁断手段３２により位置決め固定され、それによりチャンバ４３内に岩塩４５が保持される。
【００３２】
雄基部１２、直立部材２０、及び試料切除手段３０は、試料採取装置１０の雄部を構成する。
【００３３】
試料採取装置１０は、更に第２雌基部４４、及びトランスポンダ４６を含む。第２雌基部４４は、図１に最も良く示されているように、ほぼ円状で中央に開口４８を有する。凹部５０は第２雌基部４４の周縁部に近接して備わっている。
【００３４】
トランスポンダ４６は、また、ほぼ円状の平面であり、円形中央開口５２を有する。トランスポンダの電子回路の少なくとも一部が、隆起部５４に備わり、図２に最も良く示されているように、第２雌基部４４に備わる凹部５０と相互に嵌装するように配置される。
【００３５】
トランスポンダ４６は、第２雌基部４４、と第１雌基部１４の間に挟まれている。第１雌基部１４は、第２雌基部４４、及びトランスポンダ４６の両方とほぼ同じ寸法の円である。第１雌基部１４は、略平らなベース部材５６を含み、ベース部材５６の中央に配置される円形脆弱部５８は、トランスポンダ４６に備わる開口５２、及び第２雌基部４４の開口４８と効果的に隣接する。
【００３６】
第１雌基部１４のベース部材５６は、上面６０に直立円形環６２を有する。直立環６２は、脆弱部５８とほぼ同軸であるが、図２及び図３に最も良く示されているように、脆弱部５８とは半径方向に間隔を開けて離れて位置し、それらの間には肩部６４が形成されている。固定リング６６は、肩部６４上に位置するように備わり、この場合も先と同様、脆弱部５８、開口５２、及び開口４８とほぼ同軸である。試料容器１６の下端６８は、直立環６２内で固定リング６６の「上部に」位置する。試料容器１６は、テーパ状の円筒形であり、最上端７０で閉じている。下端６８は開いており、上端７０よりも幅が広い。試料容器１６は、図２及び図３に最も良く示されているように、試料受入れ場所７４を規定する内表面７２を有する。内表面７２は、試料容器１６の下端６８にほぼ近接する環状凹部７６を有する。
【００３７】
キャップ７８は、図２に示すように試料容器１６、及び直立環６２を覆って受止められ、例えば、超音波圧接により固定される。試料容器１６は、キャップ７８の上面８２に備わる開口８０を通してほぼ完全に突出する。重要なことは、開口８０は、試料容器１６が第１雌基部１４に対して位置決め保持されるように試料容器１６の下端６８よりも直径が狭い。更に、試料容器１６をキャップ７８から取外すと、開放下端６８での幅の広さのため再挿入できない。
【００３８】
第１雌基部１４、固定リング６６、キャップ７８、及び試料容器１６は、試料採取装置１０の雌部を構成する。しかしながら、以下に示すように、試料容器１６は、本発明のある種の実施形態には存在しなくてもよい／必要としなくてもよい。
【００３９】
動物（図示せず）から組織を試料採取し、その動物にタグ付けしたい使用者（図示せず）は、使用時に、試料切除手段３０を備える雄基部１２をタグガン（図示せず）の第１部分に適合させる。同様に、試料採取装置１０の残部をタグガンの第２部分に適合させ、そして、動物のタグ付けされる部分がタグガンの第１部分と第２部分の間に置かれ、試料採取装置１０の２つの個別部分が嵌合するようにタグガンが動かされる。この過程で、裁断手段３２が動物のタグ付けされる部分、例えば耳を貫通し、裁断手段３２が第１雌基部４４の脆弱部５８上に当たるため、組織をほぼ円形部分に打ち出す。第１雌基部４４の脆弱部５８は、組織試料の打ち出しを容易にするように、初めは圧力に耐えるが、最後はその圧力に耐えきれずに、雄基部１２が上方に押し出され、試料採取装置１０の雌部の残部内に入るため試料採取装置１０の２つの部分が嵌合する。第１雌ベース部材１４の脆弱部５８がなければ、裁断手段３２は動物組織に単に押し通されるだけで試料を得ることができないと予想される。
【００４０】
具体的には、試料切除手段３０は、第２雌基部４４を通過し、トランスポンダ４６を通過し、そして第１雌基部１４を通過して、試料切除手段３０が試料容器１６の下端６８内に押し込まれ、しっかりと嵌め込まれる。更に、直立部材２０の環状リップ２４もまた、上方に押され、第２雌基部４４を通過し、トランスポンダ４６を通過し、第１雌基部１４を通過する。環状リップ２４は、固定リング６６をキャップ７８へ向かって上方へ押す。環状リップ２４は、この上方押し出し工程で、試料容器１６をキャップ７８から押し出すが、これは、環状凹部７６により試料容器１６の下端６８が内側へ曲がることにより、試料容器１６が、キャップ７８に備わる開口８０を通ることができ、その結果図３に示す分離した配置が想定される。
【００４１】
タグ付け作業の結果として、タグ付けされた動物の組織試料４７が試料容器１６の試料受入れ場所７４内に採取され、押圧部材３４のチャンバ４３に収容された岩塩組織調製剤／保存剤と密接に関係する。試料切除手段３０は、試料容器１６内に締まりばめにより略流体が不浸透に密封されるように受入れられる。試料容器１６は、試料切除手段３０及び取込まれた組織試料４７と一緒に、分析に移すことが可能である。
【００４２】
試料採取装置１０の試料容器１６、及び第１雌基部１４は、どちらも採取される試料の採取源を明確に識別するための識別手段（図示せず）によりラベルされている。例えば、識別手段は、個々の動物を識別するのに役立つ一連の数、及び／又は文字を含んでもよい。このラベルは、好ましくは、試料容器１６、又は、試料採取装置１０の雌部の残部、例えば、第１雌基部１４に損傷を与えずに取外すことが出来ない。試料容器１６、及び／又は雌部の残部に損傷がある試料採取装置１０から得られた採取試料は全て分析されない。
【００４３】
更に、試料容器１６に、一旦、試料切除手段３０が押し込まれ、キャップ７８から試料容器１６が押し出されると、この場合も先と同様、試料容器１６の下端６８の幅により、特に試料切除手段３０を試料容器１６に挿入した後、試料容器１６を損傷せずにキャップ７８を通して再挿入することができない。
【００４４】
試料採取装置１０を、一旦、タグ付けされた動物に適合させると、直立部材２０の環状リップ２４は、第１雌基部１４（脆弱部を除去された結果としての）、トランスポンダ４６、及び第２雌基部４４のどの開口からも装置１０に損傷を与えずには取出すことが出来ず、これは再使用を防止し、改ざんを知らせる。
【００４５】
雄基部１２のベース１８に備わる識別手段（図示せず）もまた、損傷を与えずに除去することができない。このラベリングは、上記で述べた試料容器１６及び第１雌基部１４上のものと一致する、又は連携するように選択され、これは、試料採取過程の整合性の更なる照合を与える。
【００４６】
本発明の更なる実施形態の提供が考えられる。本発明の第２の実施形態は、試料採取装置１０とほぼ一致するが、しかし第２雌基部４４、又はトランスポンダ４６を備えない試料採取装置を提供する。試料採取装置１０の方法と同様の方法で動物組織試料を得る試料採取装置を提供するが、しかし、トランスポンダ４６による付加的電子識別手段を備えない。試料採取装置１０に備わる、トランスポンダ４６を保護し配置するための第２雌基部４４もまた、結果的に必要ない。
【００４７】
固定リング６６は、好ましくは、弾性、又は強固な材料、例えば、スチール、又は硬化プラスチック材料で形成される。固定リング６６は、例えば、キャップ７８、及び直立部材２０等の周囲の材料よりも強固であることを意図し、許可なく、直立部材を操作したことがはっきりと明白になる。
【００４８】
また更に、動物識別不正防止装置が、試料切除手段３０を図１及び図２の代替案に示す単に尖った先端１００に取替えることで提供され得る。試料採取装置１０の試料容器１６は、本発明のこの実施形態には必ずしも必要ではなく、第２雌基部４４、及びトランスポンダ４６の存在は、選択肢として電子識別が必要であるかどうか次第である。そのようなものとして、本発明の第３の実施形態おいて、組織試料採取特性はないが、試料採取装置１０の非改ざん特性は維持されている。
【００４９】
本発明の説明として、本発明の有利で好適な実施形態が選択され述べられてきたが、本発明の要旨を逸脱しない範囲で変更及び適応されうることは当業者により当然に理解されよう。
【図面の簡単な説明】
【００５０】
本発明を、ほんの一例である、２つの実施形態及び添付の図面を参照して説明する：
【図１】図１は、本発明の第１の実施形態による試料採取装置の上方分解斜視図である。
【図２】図２は、動物のタグ付け、及び該動物からの生物試料採取前の試料採取装置の雄部、及び雌部を個別に示す図１の試料採取装置の断面図である。
【図３】図３は、生物試料採取後に雌部から試料容器が分離されている、動物への適用及び生物試料の採取後の試料装置を示す図１の試料採取装置の断面図である。
【図１】
2005534943.tif 000003
【図２】
2005534943.tif 000004
【図３】
2005534943.tif 000005
【国際調査報告】
2005534943.tif 000006
2005534943.tif 000007
2005534943.tif 000008
2005534943.tif 000009
2005534943.tif 000010